(57)【要約】      （修正有）【課題】角筒状壁内に空気が充填された際、その断面を略矩形状に保持しつつ角筒状壁が破損し難い遊戯用プールを提供する。【解決手段】角筒状壁２を形成している外壁内面と内壁内面の各々の高さ方向中央部に取着座を対向状に設けると共に、外壁と内壁の両取着座間に形状保持部材４を架け渡し、角筒状壁２内に空気を充填した際、形状保持部材４が張られた状態となって該角筒状壁２の断面が略矩形状に保持されるようにしたことを特徴とする。【選択図】図４
0003222827.tif 000002
【実用新案登録請求の範囲】
【請求項１】
底板の周縁に内部中空の角筒状壁を立設し、前記角筒状壁に空気を充填して使用する遊戯用プールであって、
前記角筒状壁を形成している外壁内面と内壁内面の各々の高さ方向中央部に取着座を対向状に設けると共に、外壁と内壁の両取着座間に形状保持部材を架け渡し、前記角筒状壁内に空気を充填した際、前記形状保持部材が張られた状態となって該角筒状壁の断面が略矩形状に保持されるようにしたことを特徴とする遊戯用プール。
【請求項２】
前記取着座は、所定幅を有する横長帯状のベース板部と、前記ベース板部の幅方向中央において該ベース板部の垂直方向に延出する起立板部とを備え、前記ベース板部を前記角筒状壁の内面に接着すると共に、前記起立板部に前記形状保持部材を装着するようにしたことを特徴とする請求項１記載の遊戯用プール。
【請求項３】
前記取着座は、横長矩形状の帯状部材の幅方向の両端部を互いに重ね合わせてシールすることによって該シール部分を前記起立板部とし、前記起立板部以外の部分を折り畳み、折り畳んだうちの一方側を前記ベース板部とすると共に、他方側を帯状シートの貼着用板部としたことを特徴とする請求項２記載の遊戯用プール。
【請求項４】
前記角筒状壁の下端にその外壁と内壁との間を貫通するように形成した筒状の排水通路が設けられていることを特徴とする請求項１乃至３のいずれかに記載の遊戯用プール。
【考案の詳細な説明】
【技術分野】
【０００１】
本考案は、底板の周縁部に立設された角筒状壁に空気を充填して使用する遊戯用プールに関するものである。
【背景技術】
【０００２】
子供に気軽に水遊びをさせるための遊具として、古くから空気注入式の簡易遊戯用プールが存在しており、例えば、家の庭先や幼稚園の校庭等といった場所で使用されている。こうした遊戯用プールの一般的なものとして、特許文献１及び２に示されているような底部シートの周縁に側壁部を設け、その側壁部をドーナツ状、すなわち、内部中空の円筒形袋体に形成し、これを複数段積み重ねて構成されているものが広く使用されている。
【先行技術文献】
【特許文献】
【０００３】
【特許文献１】実開昭６２−１８９４５７号公報
【特許文献２】実用新案登録第３１６７４３０号公報
【特許文献３】特開２００４−１６００４４号公報
【考案の概要】
【考案が解決しようとする課題】
【０００４】
しかしながら、特許文献１及び２に示されている遊戯用プールは、複数段積み重ねた円筒形の袋体のそれぞれに空気給排気口が設けられ、それぞれの袋体ごとに空気を注入、排出しなければならないため、必然的に、使用、片付けの際に手間と時間が掛かってしまうという不都合がある。ちなみに、前述の不都合を回避すべく、遊戯用プールの側壁部を１の円筒形の袋体によって形成することも考えられるが、この場合、新たな別の問題が発生してしまう。すなわち、その遊戯用プールに貯める水を子供が普通に楽しめる深さにし、且つ、貯まった水の水圧に耐え得るようにするためには、どうしても側壁部をある程度の大きさにする必要があり、これに伴って側壁部の直径寸法も長くせざるを得ない。ところが、このような円筒形の側壁部は、その直径部分が長いと、直径部分に相当する高さ方向中央部が最も外方に膨出した円弧状になるため、子供、特に幼児にあっては、側壁部を自力で跨いで乗り越えることが非常に難しくなってしまうことになる。そうしたことから、遊戯用プールの側壁部は、その側面が垂直な断面矩形の直方体形状にしたいところである。
【０００５】
もっとも、比較的軟質な合成樹脂シートによって、単純に直方体形状の側壁を形成したならば、空気を注入してその内圧が高くなってくると、次第にその外壁と内壁が外方へ円弧状に膨らんでしまい、結局は、側壁を直方体形状に維持することができないことになる。
【０００６】
そこで、こうした問題を解決する技術として、特許文献３に示されている発明を応用することが可能である。すなわち、この発明は、エアマットのエアセルに関するもので、エアセル本体２の壁を形成する上側シート１８と下側シート１９の端部をエアセル本体２の高さ方向中央部で溶着し、その溶着部分であるシートの継ぎ目に吊２２の両端部のそれぞれを併せて溶着している。そして、この吊２２がエアセル本体２の外壁と内壁の内面であって高さ方向中央部において水平に張設されているため、エアセル本体２内に空気を充填すると、当該吊２２が張られてエアセル本体２の厚みを吊２２の長さに保持することができる。この点、確かに、特許文献３に示された技術を遊戯用プールの側壁に転用したならば、遊戯用プールの側壁の両側面が円弧状に膨らんでしまうことを防いで、側壁を略直方体形状に維持することは可能かもしれない。
【０００７】
しかしながら、この技術を遊戯用プールの側壁に転用した場合、次のような別の問題が発生してしまう。すなわち、側壁が空気によって膨張してくると、吊は側壁の内圧によって水平方向にかなりの力で引っ張られることになる。この時、特許文献３に示されている吊のように、セル本体を形成しているシートの継ぎ目部分に溶着すると、当該継ぎ目に張力が集中的に掛かることになり、場合によっては、側壁そのものを破断させてしまうおそれがある。特に、遊戯用プールの場合、その内側に水を貯留するため、水圧による影響を受けるし、また、遊戯者が側壁にぶつかったり、手を架けるなど、人為的な圧力も掛かるため尚更である。
【０００８】
そこで、本考案は、上記課題に鑑みて、遊戯用プールの側壁部となる角筒状壁の内部に空気が充填されたとしても、形状保持部材によって断面形状を略矩形に保持し、さらに角筒状壁内の圧力や形状保持部材の張力によっても、角筒状壁が破損し難い遊戯用プールを提供することを目的としている。
【課題を解決するための手段】
【０００９】
かかる目的を達成するため本考案は、底板の周縁に内部中空の角筒状壁を立設し、前記角筒状壁に空気を充填して使用する遊戯用プールであって、前記角筒状壁を形成している外壁内面と内壁内面の各々の高さ方向中央部に取着座を対向状に設けると共に、外壁と内壁の両取着座間に形状保持部材を架け渡し、前記角筒状壁内に空気を充填した際、前記形状保持部材が張られた状態となって該角筒状壁の断面が略矩形状に保持されるようにしたことを特徴としている。なお、ここにいう「直方体」とは、あくまでも「略直方体」という意味であり、直方体を構成する各面がやや円弧になっているものも含まれる。
【００１０】
また、請求項１記載の前記取着座は、所定幅を有する横長帯状のベース板部と、前記ベース板部の幅方向中央において該ベース板部の垂直方向に延出する起立板部とを備え、前記ベース板部を前記角筒状壁の内面に接着すると共に、前記起立板部に前記形状保持部材を装着するようにしたことを特徴としている。
【００１１】
さらに、請求項２記載の前記取着座は、横長矩形状の帯状部材の幅方向の両端部を互いに重ね合わせてシールすることによって該シール部分を前記起立板部とし、前記起立板部以外の部分を折り畳み、折り畳んだうちの一方側を前記ベース板部とすると共に、他方側を帯状シートの貼着用板部としたことを特徴としている。
【００１２】
なお、本考案に係る遊戯用プールは、前記角筒状壁の下端にその外壁と内壁との間を貫通するように形成した筒状の排水通路が設けられていることが望ましい。
【考案の効果】
【００１３】
本考案に係る遊戯用プールは、側壁部となる角筒状壁の内部に空気が充填された際、角筒状壁内に架け渡された形状保持部材によって該角筒状壁の断面を略矩形状に保持することができる。しかも、形状保持部材は取着座を介して角筒状壁に装着されているため、角筒状壁が形状保持部材の張力によって受ける影響を少なくすると共に、角筒状壁にかかる水圧や外圧による影響も軽減し、ひいては、角筒状壁が破損し難くなっている。
【図面の簡単な説明】
【００１４】
【図１】遊戯用プールの斜視図。
【図２】遊戯用プールの一部を破断して示す平面図。
【図３】遊戯用プールの側壁部の断面図。
【図４】遊戯用プールの側壁部の断面図。
【図５】遊戯用プールの構成をする取着座の第２実施例の形成過程図。
【考案を実施するための形態】
【００１５】
以下、本考案に係る遊戯用プールの実施の形態について図面を参照しながら説明する。図１は遊戯用プールの斜視図、図２は遊戯用プールの一部を破断して示す平面図である。これらの図面に示されているように、本実施形態の遊戯用プールは、底板１と、底板１の周縁に立設された内部中空の角筒状壁２と、角筒状壁２の内部に取着座３を介して取着されている形状保持部材４とによって概略構成されている。
【００１６】
前記底板１は、遊戯用プールの底面を構成する部材であり、矩形状の熱可塑性樹脂シートによって形成されている。具体的には、底板１は、９ｍｍ厚の発泡性塩化ビニールシートを４３００ｍｍ×３０００ｍｍのサイズの長方形に形成している。さらに、底板１の上面は、微細な凹凸が設けられてザラザラとした面に形成されている。このように、底板１は、シートとしては比較的厚手の９ｍｍとされていて、また、その素材として、柔軟性に優れた発泡性の塩化ビニール樹脂を選択したことから、遊戯用プール内で遊ぶ遊戯者に対する足への負担等の軽減を図ることができる。また、底板１の下方に石等の異物があったとしても、底板１の素材がクッションとして機能し、異物感を吸収するため、遊戯者に与える不快感を極小にすることができる。さらに、底板１の上面がザラザラにしてあることにより、遊戯用プール内で遊戯者が誤って滑ってしまうようなことを防止することができる。なお、底板１の隅角部の１箇所に排水口６が形成されている。
【００１７】
前記角筒状壁２は、底板１を囲繞して遊戯用プールの壁を構成する部材であり、熱可塑性樹脂シートを角筒状の袋体にして内部に空気を充填可能に形成している。また、角筒状壁２は、その底面が底板１の周縁部上面に熱溶着されており、底板１と角筒状壁２で囲まれた内側に水を溜めることができる貯水部７を形成している。ここで、角筒状壁２の構成をさらに説明すると、角筒状壁２は、９ｍｍ厚の塩化ビニールシートを各所において熱溶着することで角筒状に形成されている。具体的には、図３及び図４に示されているように、角筒状壁２の外側方に配置される外壁シート８ａ、内側方に配置される内壁シート８ｂ、上部を塞ぐ上部シート８ｃ、下面を塞ぐ下部シート８ｄのそれぞれの端部同士を熱溶着９ａ，９ｂ，９ｃ，９ｄして連結することによって略直方体形状に形成されている。なお、この角筒状壁２は、外壁シート８ａと内壁シート８ｂの内法が５００ｍｍで高さが３５０ｍｍのサイズに形成されている。また、角筒状壁２は、底板１の形状に合わせて底板１の四隅角部において略直角に屈曲し、平面視長方形の枠状になっている。なお、角筒状壁２は、平面視長方形に形成された全体で内部が１つの連通状の空気室となっており、故に、１か所から空気を充填すれば、全体に空気が充満することになる。また、角筒状壁２の４つの隅角部、すなわち、角筒状壁２を構成する各部分２ａ，２ｂ，２ｃ，２ｄの各々が隣接する箇所には、帯状のシールシート１０ａ，１０ｂ，１０ｃ，１０ｄが溶着されて角筒状壁２の隅角部を補強している。また、各シートの溶着個所は４層構造になっている。すなわち、隣接するシートの継ぎ目部分において、その外側面に２枚の細幅帯状のシール部材１１ａ，１１ｂを溶着すると共に、内側面に１枚の細幅帯状のシール部材１１ｃを溶着して互いに隣接するシート同士を連結している。これにより、シート相互の連結が強固になり、仮に、角筒状壁２が強い衝撃を受けたとしても、各シートの継ぎ目部分が破損し難くなっている。
【００１８】
角筒状壁２ｄの縁部の下端には、空気ポンプを装着可能な２つの空気給排気口１３，１４と、空気の入れすぎを抑制するための１つの安全開放弁１５が設けられている。ちなみに、ここには２つの空気給排気口１３，１４が設けられているが、これは、仮に一方の空気給排気口が故障した際に、他方の空気給排気口を予備的に使用できるように考慮したものである。さらに、安全開放弁１５の機能として、角筒状壁２に空気を注入している際、その内圧が１４．８ｋｐａに達してしまった場合には、安全開放弁１５が自動的に開放されて空気が抜ける構造になっている。これにより、角筒状壁２内に空気が過剰に供給されて角筒状壁２が破裂する等の不都合が解消される。なお、これら空気給排気口１３，１４、及び安全開放弁１５の前方には、角筒状壁２を形成しているシートと同素材のカバー１６が装着されている。具体的には、カバー１６は、空気給排気口１３，１４及び安全開放弁１５を隠蔽できるサイズの長方形のシート材からなり、カバー１６の裏面上端部が角筒状壁２ｄに熱溶着されている。そして、この熱溶着部分を起点としてカバー１６を前方へ回動可能になっている。また、カバー１６の裏面周縁部分には横向きコ字型の面ファスナーテープ１７ａが取着されていると共に、角筒状壁２ｄの外側面に面ファスナーテープ１７ｂが取着されていて、常態においては、カバー１６の面ファスナーテープ１７ａと角筒状壁２ｄの面ファスナーテープ１７ｂを合致させて、空気給排気口１３，１４及び安全開放弁１５を隠蔽している。他方、角筒状壁２へ空気を供給したり排出したりする場合、カバー１６を面ファスナーテープ１７ｂから離脱させ前方へ開放することによって、空気給排気口１３，１４を使用することができる。さらに、角筒状壁２ｂの隅部下端には、遊戯用プール内に貯めた水を排水する際に使用する排水通路１８が設けられている。この排水通路１８は、図３及び図４に示されているように、角筒状壁２の外壁シート８ａと内壁シート８ｂの間を貫通する円筒状に形成されている。なお、排出通路１８の両端開口部のそれぞれに栓１９が篏合されている。ちなみに、この排水通路１８は、軟質の合成樹脂素材によって形成されているため、遊戯用プールから空気を抜いて折り畳む際、排水通路１８も一緒に折り畳まれることになる。従って、遊戯用プールの収納時において、排水通路１８が邪魔になることはない。なお、角筒状壁２の外側面適宜箇所に遊戯用プールを運搬する際に使用する持ち手２０，２０・・・が複数設けられている。
【００１９】
前記取着座３は、後述する形状保持部材４を装着するためのもので、角筒状壁２を形成している外壁シート８ａ内面と内壁シート８ｂ内面のそれぞれの高さ方向中央部に対向状に配置されている。また、取着座３は、外壁シート８ａ内面と内壁シート８ｂ内面のそれぞれにぐるりと一周するように周回状に設けられている。ここで、図３に示している取着座３Ａは、第１の実施例であり、この取着座３Ａは、塩化ビニール樹脂製シートを断面形状が横向きＴ字形状に形成されている。すなわち、取着座３Ａは、横長の帯板からなるベース板部２５と、このベース板部２５の幅方向中央において該ベース板部２５の垂直方向に延出する起立板部２６とによって形成されている。そして、取着座３Ａのベース板部２５が角筒状壁２の外壁シート８ａと内壁シート８ｂのそれぞれの内面に熱溶着（接着）され、これにより、外壁シート８ａに溶着された取着座３Ａの起立板部２６と内壁シート８ｂに溶着された取着座３Ａの起立板部２６が互いに対向する状態になっている。他方、図４に示している取着座３Ｂは、第２の実施例であり、この取着座３Ｂも、前述の第１の実施例と同様に、横長の帯板から形成されている。もっとも、この帯板は、第１の実施例の取着座３Ａのベース板部２５となる帯板よりも幅方向の寸法が長い帯板により形成されている。そして、この帯板は、その幅方向の両端部を所定寸法だけ互いに重ね合わせて熱溶着（シール）し、一旦、帯板を断面雫形のリング状に形成する（図５（ａ））。ちなみに、この帯板の熱溶着箇所は、取着座３Ｂの起立板部２６となる。その後、リング状になった帯板の溶着部分である起立板部２６の両側のそれぞれの箇所を屈曲させて折り畳む（図５（ｂ））。そして、折り畳まれた部分のうち、起立板部２６が存在していない側が角筒状壁２の内面に熱溶着（接着）されるベース板部２５になる。すなわち、このベース板部２５が角筒状壁２の外壁シート８ａ及び内壁シート８ｂのそれぞれの内面に溶着されて取着座３Ｂが角筒状壁２の内部に対向状に取着されることになる。一方、折り畳まれた部分のうち、起立板部２６が存在している側は、シール部材２９の貼着用板部２７となる。すなわち、貼着用板部２７は起立板部２６の両側に存在するが、この両側の貼着用板部２７のそれぞれと外壁シート８ａ内面もしくは内壁シート８ｂ内面の双方に亘り横長の帯板からなるシール部材２９，２９によって溶着されている。これにより、外壁シート８ａに溶着された取着座３Ｂの起立板部２６と内壁シート８ｂに溶着された取着座３Ｂの起立板部２６が互いに対向する状態になっている。
【００２０】
前記形状保持部材４は、丈夫な合成繊維生地からなる横長の帯状シートであり、その幅方向の寸法は、前述の内壁シート８ｂと外壁シート８ａのそれぞれにおいて対向している取着座３，３の起立板部２６，２６の先端間の内法よりも若干長く形成されている。そして、この形状保持部材４の幅方向両端部のそれぞれを若干折り曲げた後、この折り曲げた先端部分を取着座３，３の起立板部２６，２６に縫着している。また、形状保持部材４は、角筒状壁２を構成する各部分２ａ，２ｂ，２ｃ，２ｄのそれぞれに配置され、角筒状壁２の隅角部において、互いに隣接する形状保持部材４の端部を重ね合わせて縫着されている。これにより、角筒状壁２の内部は形状保持部材４によって上下に二分割されることになる。もっとも、形状保持部材４には、複数の通孔３０，３０・・・が穿設されているため、角筒状壁２の内部に空気を注入すると、空気は角筒状壁２の内部全体に行き渡ることになる。そして、空気が角筒状壁２の内部に充満してくると、形状保持部材４が張られた状態となって、角筒状壁２の外壁シート８ａと内壁シート８ｂの間隔を一定以上拡がらないように規制し、最終的に角筒状壁２の断面形状を略矩形に保持することになる。
【００２１】
次に、上記のように構成された本実施形態に係る遊戯用プールの使用方法について説明する。遊戯用プールは、未使用時には、通常、その角筒状壁２の空気を抜いて、折り畳まれた状態で収納されている。そして、遊戯用プールを使用する場合には、折り畳まれた遊戯用プールを平坦な場所で拡げた後、角筒状壁２のカバー１６を開放し、空気給排気口１３，１４のいずれかからエアーポンプを使って、角筒状壁２内に空気を供給する。この供給に伴い、角筒状壁２が膨張してくると、形状保持部材４が角筒状壁２内において徐々に水平方向へ引っ張られていき、最終的には、角筒状壁２内でピンと張った状態に維持されることになる。これにより、角筒状壁２の外壁シート８ａ及び内壁シート８ｂの高さ方向中央部が外側へ円弧状に膨出してしまうことを防ぐことができ、ひいては、角筒状壁２の断面形状を略矩形に保持することができる。この時、形状保持部材４は、取着座３を介して角筒状壁２内に装着されており、しかも、取着座３のベース板部２５が角筒状壁２の内面に直接的に熱溶着されているため、角筒状壁２を形成しているシートに対し、形状保持部材４の張力による負担を少なくし、ひいては、角筒状壁２の破損等の回避に貢献している。特に、図４に示す取着座３Ｂの場合、ベース板部２５が角筒状壁２の内面に溶着されているのみならず、貼着用板部２７と角筒状壁２の内面の双方にシール部材２９，２９が溶着されているため、形状保持部材４の張力をより強固に受け止めることができる。さらに、取着座３Ｂのベース板部２５と貼着用板部２７の双方が対向している部分は溶着されていない。従って、図４に示されているように、形状保持部材４がピンと張った状態において、ベース板部２５と貼着用板部２７が離間して形状保持部材４の強力な張力を逃がすように作用する。そのため、取着座３Ｂによれば、より形状保持部材４の張力による負担を軽減することができる。こうして角筒状壁２に空気を充填し遊戯用プールを使用できる状態にした後は、底板１と角筒状壁２で囲まれた貯水部７に水を入れる。この時、遊戯者の年齢等に応じて水深を決定するが、目安として、１歳児なら２０ｃｍ、２歳児なら２５ｃｍ、３歳児以上なら３０〜３５ｃｍ位にするのが望ましい。なお、図示はしないが、角筒状壁２の内壁シート８ｂの２箇所に水深を示すラインが印刷されているので、このラインに従って適正な水深に至ったか否かの確認をすることができる。そして、遊戯用プールでの遊びが終了し、遊戯用プールから排水する場合には、底板１に形成されている排水口６と、角筒状壁２ｂの下端部に形成されている排水通路１８を使用する。このうち、底板１の排水口６は、排水口６にキャップされている栓を外すことで排水することができる。他方、角筒状壁２に形成されている排水通路１８は、その開口部にキャップされている栓１９を外し、ここに排水用ホースを接続して排水することができる。このように、遊戯用プールには、排水箇所が排水口６と排水通路１８という２箇所に設けられているので、非常に効率よく排水することができる。遊戯用プール内の排水が終了したら、角筒状壁２内に充填された空気を抜くことになるが、これは空気給排気口１３，１４に形成されているピンを回動させれば自動的に排気されることになる。そして、角筒状壁２内の空気が完全に抜けたら、後は、遊戯用プールを適当なサイズに折り畳み、さらに折り畳んだ遊戯用プールを丸めてバンド等によって止着すれば、コンパクトに収納することができる。
【符号の説明】
【００２２】
１      底板
２      角筒状壁
３      取着座
４      形状保持部材
２５    ベース板部
２６    起立板部
２７    貼着用板部
２９    シール部材
【図１】
0003222827.tif 000003
【図２】
0003222827.tif 000004
【図３】
0003222827.tif 000005
【図４】
0003222827.tif 000006
【図５】
0003222827.tif 000007